(57)【要約】      （修正有）【課題】空間部内の流れを規制することで外箱温度の上昇を抑えかつ、加熱室内の昇温効率の良い加熱調理器を提供する。【解決手段】被加熱物を収納する加熱室３と、加熱室に収納された被加熱物を加熱する加熱手段と、加熱室の外周に空間部６、２０を形成して加熱室を覆う外箱２と、外箱の壁面に設けた吸気口および排気口と、吸気口から外部空気を吸引して空間部を経て排気口より排気するファンとを備え、加熱室３外周の空間部内の空気流れを外箱２の内面側に偏るように、外箱２の内面側に突出したガイド２４を備えた構成としたので、外箱２の内面近傍の風速が上がり、逆に加熱室３側の風速は低下する。したがって、加熱室３からの放熱は抑えられ、外箱２の冷却は充分に行うことができる。【選択図】図６
2014202406.tif 000002
【特許請求の範囲】
【請求項１】
被加熱物を収納する加熱室と、
前記加熱室に収納された被加熱物を加熱する加熱手段と、
前記加熱室の外周に空間部を形成して前記加熱室を覆う外箱と、
前記外箱の壁面に設けた吸気口および排気口と、
前記吸気口から外部空気を吸引して前記空間部を経て前記排気口より排気するファンとを備え、
前記空間部内の空気流れを前記外箱内面側に偏るように前記外箱内面側に突出したガイドを備えた加熱調理器。
【請求項２】
前記ガイドは、前記空間部の空気流れの少なくとも入口近傍に前記加熱室側から前記外箱方向へ突出する突出片で形成され、前記外箱内面と前記突出片の端部とで形成される隙間に空気流れを通過させる構成とした請求項１に記載の加熱調理器。
【請求項３】
前記外箱内面と前記突出片の端部とで形成される隙間を１ｍｍ〜１０ｍｍとした請求項２に記載の加熱調理器。
【請求項４】
前記空間部の前記加熱室側に断熱層を形成する遮熱板を備え、
前記突出片の端部と前記外箱内面との隙間は、前記遮熱板と前記外箱内面との隙間よりも小さくした請求項２または３に記載の加熱調理器。
【請求項５】
前記突出片は、前記空気流れの少なくとも入口近傍で前記空気の流れと直交する方向に複数個配置された請求項２から４のいずれか１項に記載の加熱調理器。
【請求項６】
前記突出片の端部は、空間部の空気流れ方向に沿って傾斜させた請求項２から５のいずれか１項に記載の加熱調理器。
【発明の詳細な説明】
【技術分野】
【０００１】
本発明は、ヒータを組込んだ電子レンジに代表される加熱調理器に関するものである。
【背景技術】
【０００２】
従来のヒータを組込んだ電子レンジのヒータには、赤外線ヒータ等の熱放射の指向性の強いヒータを使い、輻射熱で食品を焦がす方式と、シーズヒータに循環風を当てて加熱室内全体の雰囲気温度を高める方式の二つの方法があり、前者の方式は輻射熱で食品を加熱するので食品の表面を早く焦がすことに向いている。一方、シーズヒータを用いる方式では加熱室内の雰囲気温度を高め、食品全体の温度が上昇するために食品全体に均一な焦げ目をつけることができる。こうした赤外線ヒータでの加熱は、特に加熱室内壁面温度が上昇するため、上昇部位の外箱温度が上昇してしまう。また、シーズヒータ方式では加熱室全体の温度が上昇するため、外箱温度も全体的に上昇する。
【０００３】
こうした外箱温度の上昇を防止するため、図１４の従来の加熱調理器の断面図に示すように、ヒータ１００を備えた加熱室１０１と外箱１０２の間に断熱材１０３、遮熱板１０４、空間部１０５を層状に配置して、この空間部１０５にファン１０６からの空気を流すことにより、外箱１０２の温度の上昇を抑えていた（例えば、特許文献１参照）。
【０００４】
また、図１５の従来の加熱調理器の断面図に示すように、ヒータ１１０を備えた加熱室１１１の一側面の空間部１１２に備えたファン１１３により上方に空気を流し、上面の空間部１１４から反対側面の空間部１１５へと順次空気を流すことで、空間部１１２、１１４，１１５への流れを均一にしてムラの少ない冷却を実現するとした提案もある（例えば、特許文献２参照）。
【先行技術文献】
【特許文献】
【０００５】
【特許文献１】特開昭５２−１２１８３７号公報
【特許文献２】特許第２９４２１９５号公報
【発明の概要】
【発明が解決しようとする課題】
【０００６】
しかしながら、前記従来の構成では、加熱室内が２００℃を超える高温が長時間続くと、断熱材を介して遮熱板の温度が上がり、この遮熱板からの輻射熱と対流による伝熱が外箱温度を上昇させしまう。充分な冷却をするためには空間部に充分な空気を流す必要があるが、単に空間部に空気を流すと、外箱の冷却をすると同時に遮熱板の表面も冷却されるため、断熱材を介して加熱室も冷却されてしまう。断熱材を厚くできれば問題はないが、実際の製品では全体サイズの観点から加熱室と外箱の間の壁厚を大きくできない点や、コストの観点から、断熱材は厚くすることができないので、加熱室の昇温効率を下げる結果となっていた。
【０００７】
また、空間部の風路断面積が大きいと風路内の風速が下がるので、外箱内面と空気との対流熱伝達率が低下して、外箱の冷却性能が低下してしまう。したがって、必要以上の風量で冷却することになり、より加熱室の昇温効率を低下させるばかりでなく、送風ファンが大型化してしまうなどの課題があった。
【０００８】
本発明は、前記課題を解決するものであり、空間部内の空気流れを規制することで外箱温度の上昇を抑え、かつ、加熱室内の昇温効率の良い加熱調理器を提供することを目的と
する。
【課題を解決するための手段】
【０００９】
前記従来の課題を解決するために、本発明の加熱調理器は、被加熱物を収納する加熱室と、前記加熱室に収納された被加熱物を加熱する加熱手段と、前記加熱室の外周に空間部を形成して前記加熱室を覆う外箱と、前記外箱の壁面に設けた吸気口および排気口と、前記吸気口から外部空気を吸引して前記空間部を経て前記排気口より排気するファンとを備え、前記空間部内の空気流れを前記外箱内面側に偏るように前記外箱内面側に突出したガイドを備えた構成としている。
【００１０】
上記構成により、空間部に流れる空気は外箱内面に沿って流れるようになり、外箱内面近傍の風速が上がり、逆に加熱室側の風速は低下する。したがって、外箱内面と空気との熱伝達率は高くなり、加熱室側の熱伝達率は低くなるので、加熱室からの放熱は抑えられ、外箱の冷却は充分に行うことができる。
【発明の効果】
【００１１】
本発明の加熱調理器は、ガイドにより空気を外箱内面側に偏るようにしたので、外箱温度の上昇を抑えかつ、加熱室内の昇温効率の良い加熱調理器を提供することができる。
【図面の簡単な説明】
【００１２】
【図１】本発明の実施の形態１における加熱調理器の斜視図
【図２】の正面断面図
【図３】本発明の実施の形態１における加熱調理器の側面断面図
【図４】本発明の実施の形態１における加熱調理器の底側からの斜視図
【図５】本発明の実施の形態１における加熱調理器の外箱を透過させた斜視図
【図６】本発明の実施の形態１における加熱調理器を示す図２のガイド部のＡ部拡大図
【図７】本発明の実施の形態１における加熱調理器のガイド端部の隙間に応じた空間部の風速分布図
【図８】本発明の実施の形態１における加熱調理器のガイド端部の隙間と空間部の風速との関係図
【図９】本発明の実施の形態２における加熱調理器のガイド部周辺の部分断面図
【図１０】本発明の実施の形態２における加熱調理器のガイドを複数個取り付けた状態の部分断面図
【図１１】本発明の実施の形態３における加熱調理器のガイド部周辺の部分断面図
【図１２】本発明の実施の形態３における加熱調理器のガイド単体を示す斜視図
【図１３】本発明の実施の形態４における加熱調理器のガイド部周辺の部分断面図
【図１４】従来の加熱調理器の断面図
【図１５】従来の加熱調理器の断面図
【発明を実施するための形態】
【００１３】
第１の発明の加熱調理器は、被加熱物を収納する加熱室と、前記加熱室に収納された被加熱物を加熱する加熱手段と、前記加熱室の外周に空間部を形成して前記加熱室を覆う外箱と、前記外箱の壁面に設けた吸気口および排気口と、前記吸気口から外部空気を吸引して前記空間部を経て前記排気口より排気するファンとを備え、前記空間部内の空気流れを前記外箱内面側に偏るように前記外箱内面側に突出したガイドを備えた構成としている。
【００１４】
上記構成により、空間部に流れる空気は、ガイドによって外箱内面側に偏り外箱内面に沿って流れる。そのため、外箱内面近傍の風速が上がり、逆に加熱室側の風速は低下する風速分布となるので、外箱内面と空気との熱伝達率は高くなり、加熱室側の熱伝達率は低
くなる。その結果、加熱室からの放熱は抑えられ、外箱の冷却は促進されるので、外箱の温度上昇を抑えかつ、加熱室の放熱ロスを抑えることができる。
【００１５】
第２の発明の加熱調理器は、特に、第１の発明の前記ガイドを、前記空間部の空気流れの少なくとも入口近傍に前記加熱室側から前記外箱方向へ突出する突出片で形成され、前記外箱内面と前記突出片の端部とで形成される隙間に空気流れを通過させる構成としている。
【００１６】
上記構成により、空間部を流れる空気は、突出片の上流部で突出片に沿って、この突出片の先端部方向すなわち外箱内面方向へと流れる。そして空気流れは、外箱内面と突出片の端部とで形成される隙間を通過する際に、外箱内面に押し付けられるよう絞られて、外箱内面に沿って流れる。このように空間部流れを外箱内面に沿わせて流すことができるので、加熱室からの放熱は抑えられ、外箱の冷却は促進されるので、外箱の温度上昇を抑えかつ、加熱室の放熱ロスを抑えることができる。
【００１７】
第３の発明の加熱調理器は、特に、第２の発明の前記外箱内面と前記突出片の端部とで形成される隙間を１ｍｍ〜１０ｍｍとしたものである。
【００１８】
前記隙間は、通過風量が一定であれば狭い方が、通過流速が大きくなり、外箱内面と空気との熱伝達率は高くなるため、外箱の冷却性能が上がる。しかし、隙間の風路抵抗が増大するため、結果的に通過風量が下がり、冷却性能が上がらなくなる。逆に、前記隙間が広くなると通過流速が小さくなり、突出片に沿って外箱内面方向への流れが弱く、かつ、割合が少なくなるので、隙間を通過する流れの外箱内面側への偏りが小さくなってしまい、外箱の冷却効果が少なくなってしまう。
【００１９】
上記のように、外箱内面と突出片の端部とで形成される隙間は最適値が存在し、一般家庭用におけるサイズの加熱室およびファンにおいては、前記隙間が１ｍｍ未満では風路抵抗が大きくなりすぎて、１０ｍｍを越える値では隙間を通過する流れの外箱内面側への偏りが小さくなって効果が期待できなくなるので、望ましくは前記隙間を２ｍｍ〜７ｍｍにすることによって、さらに効果を高めることができる。
【００２０】
第４の発明の加熱調理器は、特に、第２または第３の発明の前記空間部の前記加熱室側に断熱層を形成する遮熱板を備え、前記突出片の端部と前記外箱内面との隙間を、前記遮熱板と前記外箱内面との隙間よりも小さくしたものである。
【００２１】
上記の突出片の端部と外箱内面との隙間を隙間Ａとし、遮熱板と外箱内面との隙間を隙間Ｂとすると、隙間Ａを通過する空気は、外箱内面方向に偏りながら外箱内面に沿って流れる。一方隙間Ａより下流の遮熱板側の流れは、外箱内面側に比べ流速が小さくなっている。特に、隙間Ｂと隙間Ａとの差により形成される段差が、外箱内面への流れの偏重を促進し、遮熱板表面に沿う流れをより抑える役割を成している。このように前記段差によって遮熱板近傍の空気流れが抑えられるので、遮熱板の冷却が抑制され、加熱室の昇温効率を向上することができる。
【００２２】
第５の発明の加熱調理器は、特に、前記第２から４のいずれか１つの発明の突出片を、空気流れの少なくとも入口近傍で前記空気の流れと直交する方向に複数個配置して構成している。
【００２３】
外箱の冷却効果を上げるために、突出片の端部と外箱内面との隙間を小さくすると、外箱が変形などによって、前記隙間の変化割合が大きくなるので、外箱の変形などが無視できなくなる。また、突出片の端部と外箱内面との隙間を大きくすると、外箱の冷却効果が
低下するだけでなく、空気流れの上流側の風速分布の影響を受けて、空気の流れと直交する方向の流れ分布が発生しやすくなる。そのため外箱の冷却効果にムラが発生しやすくなる。
【００２４】
そこで本発明では、突出片を空気の流れと直交する方向全体に一様に設けるのではなく、複数個配置し、空気流れを分割することにより、突出片の端部と外箱内面との隙間を大きくしても、突出片の端部と外箱内面との隙間を通過する空気の流速を大きくすることができるので、外箱の変形などの外乱に対して影響が少なく、かつ外箱内面側への空気流れの偏りを大きくすることができる。また、空気流れの上流側の風速分布の影響を受けにくくなり、空気流れと直交する方向の風量分布を改善することができる。
【００２５】
第６の発明の加熱調理器は、特に、前記第２から５のいずれか１つの発明の突出片の端部を、空間部の空気流れ方向に沿って傾斜させる構成とした。
【００２６】
上記構成により、突出片に沿って流れる空気が、この突出片の先端部から外箱内面に沿う方向へと流れ方向が変わる際の、角度変化が小さくなるので、空気摩擦が小さくなり、風路抵抗を小さくすることができる。
【００２７】
以下、本発明の実施の形態について、図面を参照しながら説明する。なお、この実施の形態によって本発明が限定されるものではない。
【００２８】
（実施の形態１）
図１は、本発明の第１の実施の形態における加熱調理器の斜視図、図２は、本発明の第１の実施の形態における加熱調理器の正面断面図、図３は、本発明の第１の実施の形態における加熱調理器の側面断面図、図４は、本発明の第１の実施の形態における加熱調理器の底側からの斜視図、図５は、本発明の第１の実施の形態における加熱調理器の外箱を透過させた斜視図、図６は、本発明の第１の実施の形態における加熱調理器を示す図２のガイド部のＡ部拡大図、図７は、本発明の第１の実施の形態における加熱調理器のガイド端部の隙間に応じた空間部の風速分布図、図８は、本発明の第１の実施の形態における加熱調理器のガイド端部の隙間と空間部の風速との関係図である。以降、図１〜図８を適宜参照しつつ説明する。
【００２９】
図１に示すように、代表的な加熱調理器である電子レンジ１は、前面開放の箱形の外箱２の内部に加熱室３が形成されている。外箱２の前面には加熱室３に代表的な被加熱物である食品（図示せず）を収納可能にするために食品取出口４を開閉する開閉扉５が開閉自在に取付けられている。
【００３０】
図２に示すように、加熱室３の外周には外箱２との間に空間部６、１４、２０が形成されており、加熱室３下側の空間部６には、加熱手段の一つである高周波発生部７等の加熱制御用の電子部品が収容されている。
【００３１】
食品の加熱手段の一つである高周波発生部７は、マグネトロン８と、導波管９と、回転アンテナ１０等が設けられており、マグネトロン８より発生した高周波は、導波管９内を伝送されて加熱室３内に放射される。
【００３２】
回転駆動される電波撹拌用の回転アンテナ１０は、加熱室３に放射される高周波を加熱室３全体に拡散させることによって、高周波の定在波が固定されるのを防いで、食品の加熱ムラを抑えるように作用する。
【００３３】
マグネトロン８近傍には主に高周波加熱時のマグネトロン８を冷却するためのファン１
１（図３参照）が配置されており、ファン１１は、外箱２の底板１２に開けられた吸気口１３（図４参照）から外部空気を吸引し、マグネトロン８に冷却風を送っている。
【００３４】
加熱室３上部の空間部１４には、食品の加熱手段の一つである上部加熱手段１５が配置されている。上部加熱手段１５は、上部加熱ヒータ１６、反射板１７、断熱材Ａ１８、遮熱板Ａ１９が積層状に設けられていて、外箱２と遮熱板Ａ１９との間には隙間を形成して配置している。
【００３５】
上部加熱ヒータ１６は、円筒状のハロゲンヒータ、石英管ヒータなどの輻射型のヒータであり、加熱することにより加熱室３内の食品を輻射熱によって表面を焦がす等の加熱処理を行う。
【００３６】
加熱室３の側部の空間部２０には、加熱室３側に断熱層２１を形成する遮熱板Ｂ２２を配置し、断熱層２１には断熱材Ｂ２３を挿入している。また、遮熱板Ｂ２２と外箱２との間には隙間を形成して配置し、空間部２０の下部には、この空間部２０内の空気流れを外箱２内面側に偏るように外箱２内面側に突出した突出片で構成したガイド２４を備えている。
【００３７】
加熱室３の奥面２５の裏側の空間部２６（図３参照）には、食品の加熱手段の一つである奥部加熱手段２８が配置されている。空間部２６は、加熱室３の奥面２５と外箱２の裏板２７との空間より形成され、奥部加熱手段２８は、空間部２６の奥面２５側に配置している。
【００３８】
奥部加熱手段２８は、円状のシーズヒータ２９はヒータケース３０と奥面２５とに挟まれた密閉空間に配置され、このシーズヒータ２９の中央には循環ファン３１が設けられ、ヒータケース３０の裏側に、断熱材Ｃ３２と遮熱板Ｃ３３が積層状に配置されている。
【００３９】
そして、奥面２５には循環吸気口３４と循環排気口３５とが穿設され、循環ファン３１が回転駆動されることで、加熱室３の空気は循環吸気口３４から吸引され、シーズヒータ２９によって加熱されて循環排気口３５から再び加熱室３へ戻され熱風循環が形成されるように構成している。
【００４０】
これにより、加熱室３内を均一に高温加熱できるようになっている。
【００４１】
次に、加熱手段による加熱運転中の外箱２の冷却構成について説明する。
【００４２】
ファン１１は、外部空気を吸気口１３（図４参照）から吸引してマグネトロン８（図２参照）に吹出した後、加熱室３下側の空間部６全体に広がる。そして、その一部は奥下開口部３６（図２、図３参照）を通って、加熱室３の奥面２５の裏側の空間部２６に流れ、排気口３７より排出される（図３矢印参照）。この流れによって、特に奥部加熱手段２８運転時に加熱される裏板２７の昇温を抑えることができる。
【００４３】
ファン１１からの残りの空気流れは、図５の矢印に示すように、加熱室３下側の空間部６から加熱室３の左右側部の遮蔽板Ｂ２２と外箱２との隙間を通過し、加熱室３上部の、遮熱板Ａ１９と外箱２との隙間を通り、奥上開口部４５から排気口３７に至って排気される。
【００４４】
この流れによって、加熱手段運転による外箱２の温度上昇を抑えることができる。
【００４５】
なお、加熱室３から外箱２に至る放熱は、空気の対流による熱伝達や、断熱材Ａ１８、
断熱材Ｂ２３、断熱材Ｃ３２などを通過する熱伝導に加えて、輻射熱伝達の要素が大きく関与し、この輻射による伝熱を抑えるためには、遮熱板Ａ１９、遮熱板Ｂ２２、遮熱板Ｃ３３の放射率の低いものを用いるのが望ましい。できれば外箱２内面の放射率も低いものであれば更に輻射伝熱が抑えられ、外箱２温度も抑えられる。
【００４６】
図５における空気流れの、加熱室３下側の空間部６から加熱室３の左右側部の遮熱板Ｂ２２と外箱２との隙間に入る際に図６に示すように、空気流れがガイド２４により絞られて、外箱２内面側に押付けられるように偏って流れる。この偏りによって、空間部２０内の空気流れは外箱２内面近傍の風速は大きく、遮熱板Ｂ２２表面近傍の風速は小さくなる。そのため、外箱２内面と空気との熱伝達率が大きくなり冷却作用が向上する。
【００４７】
一方、遮熱板Ｂ２２と空気との熱伝達率は小さくなって冷却は抑制される。遮熱板Ｂ２２が冷却されにくくなれば、断熱材Ｂ２３を介して加熱室３の側板３８の冷却も抑制され、加熱手段運転時の加熱時間の短縮や、放熱ロスの削減につながる。
【００４８】
特に、側板３８から外箱２までの幅を小さくして加熱調理器本体を小型化しようとした場合に、断熱材Ｂ２３の厚さを大きくできないため、加熱室３からの放熱の問題が大きくなる。
【００４９】
また、遮熱板Ｂ２２と外箱２との隙間も大きくできないので、この隙間を通過する空気が遮熱板Ｂ２２表面に沿って速く流れ、加熱室３からの放熱は更に大きくなる。
【００５０】
また、加熱室３下側の空間部６から加熱室３の左右側部の空間部２０の入口部は、流れる空気が加熱室３からの熱をあまり受けていないため、温度レベルが低く、この空気が遮熱板Ｂ２２に沿って速く流れると、この部位の加熱室３内面温度が集中的に低下し、放熱ロスが大きくなるだけでなく、加熱室３内の温度ムラが大きくなって、調理の出来栄えにも影響する可能性があった。ガイド２４は、空間部２０への空気流れの偏向により、上記のような加熱室３からの放熱を抑制することができる。
【００５１】
ガイド２４は、金属板により構成し、加熱室３の底板３９端部の空間部２０の空気流れ入口部に外箱２内面側に突出した状態で、溶接等により固定している。ガイド２４の突出した端部は、空間部２０の空気流れ方向に沿って傾斜させて、空気流れの抵抗を軽減するとともに、流れ方向を外箱２内面に偏向しやすくしている。
【００５２】
また、図６に示すように、ガイド２４の端部と外箱２内面との隙間Ａは、遮熱板Ｂ２２と外箱２内面との隙間Ｂよりも小さくなるように配置している。これにより、隙間Ａを通過する空気は、外箱２内面方向に偏りながら外箱２内面に沿って流れる。
【００５３】
一方、隙間Ａより下流の遮熱板Ｂ２２側の流れは、ガイド２４により流れが遮られるので外箱２内面側に比べ流速が小さくなっている。特に、隙間Ｂと隙間Ａとの差により形成される段差Ｌが、外箱２内面への流れの偏重を促進し、流れの主流から隔たる距離を取れるので遮熱板Ｂ２２表面に沿う流れをより抑える役割を成している。このように段差Ｌによって遮熱板Ｂ２２近傍の空気流れが抑えられるので、遮熱板Ｂ２２の冷却が抑制され、加熱室３の昇温効率を向上することができる。
【００５４】
図７は、一般家庭用加熱調理器における加熱室３およびファン１１を用いた条件での隙間Ａの寸法を段階的に変えたときの空間部２０の風速分布を示している。図７のように隙間Ａが最大での風速分布４０は外箱２と遮熱板Ｂ２２の風速はほぼ同等の値となっている。
【００５５】
これはガイド２４に沿って外箱２内面方向への流れが弱くかつ、割合が少なくなるので、隙間を通過する流れの外箱２内面側への偏りが小さくなってしまうためと考えられる。
【００５６】
一方、隙間Ａを狭くした風速分布４１は、外箱２内面側に風速を上げて偏っていることがわかる。
【００５７】
図８は、上記の隙間Ａ寸法と空間部２０の風速の関係を示し、外箱２内面近傍の風速特性４２と、遮熱板Ｂ２２近傍の風速特性４３を示している。図８に示すように、隙間Ａ寸法が狭い方が外箱２内面近傍の風速特性４２の通過流速が大きくなり、外箱２内面と空気との熱伝達率は高くなるため、外箱２の冷却性能が上がる。
【００５８】
しかし隙間Ａ寸法が狭すぎると、隙間の風路抵抗が増大するため、結果的に通過風量が下がり、風速も落ちて冷却性能が上がらなくなる。
【００５９】
逆に隙間Ａ寸法が広くなると外箱２内面近傍の風速特性４２は小さくなり、遮熱板Ｂ２２近傍の風速特性４３が大きくなるので、外箱２の冷却効果が少なくなりかつ、遮蔽板Ｂ２２からの熱ロスが大きくなってしまう。
【００６０】
上記のように、隙間Ａ寸法には最適値が存在し、隙間Ａが１ｍｍ未満では風路抵抗が大きくなりすぎて、１０ｍｍを越える値では隙間Ａを通過する流れの外箱２内面側への偏りが小さくなって効果が期待できなくなるので、隙間Ａは１ｍｍから１０ｍｍで設定するのが望ましい。更に望ましくは隙間Ａが２ｍｍ〜７ｍｍがより効果が期待できる。
【００６１】
以上のように本実施の形態では、ガイド２４を加熱室３左右側部の空間部２０入口に設けたので、空間部２０に流れ込む空気は、外箱２内面側に偏った流れとなり、外箱２内面近傍の風速が上がり、逆に遮熱板Ｂ２２近傍の風速は低下する風速分布となるので、外箱２内面と空気との熱伝達率は高くなり、遮熱板Ｂ２２と空気との熱伝達率は低くなる。
【００６２】
その結果、加熱室３からの放熱は抑えられ、外箱２の冷却は促進されるので、外箱２の温度上昇を抑えかつ、加熱室３の放熱ロスを抑えることができる。
【００６３】
なお、本実施の形態では加熱室左右側部に対してガイドを設けたが、加熱室上面部の空間部や加熱室の奥の空間部に設けても同様の効果が得られる。
【００６４】
また、本実施の形態ではファン、マグネトロンの配置を加熱室底側の空間部としたが、この位置に限定するものではなく、加熱室奥の空間部や加熱室側部の空間部に配置してもよい。
【００６５】
また、本実施の形態ではガイドを金属板により構成し、端部を空気流れ方向に沿って傾斜させたが、ガイドの材質は、空気流れを偏向できるものであれば、何でもよく、樹脂や木でもよい。また、端部の傾斜がなくても効果が得られる。
【００６６】
また、本実施の形態では加熱手段として、高周波発生部７、上部加熱手段１５、奥部加熱手段２８の３種類の加熱手段を備える構成としたが、更に食品の加熱手段の一つとして加熱室３に蒸気を供給する蒸気発生手段を更に加えてもよい。これら加熱手段はそれぞれ単体で構成してもよく、２種類の組合せでもよく、３種類の組合せでもよい。
【００６７】
また、本実施の形態では断熱層２１に断熱材Ｂ２３を挿入して構成したが、断熱材Ｂ２３を入れずに空間としてもよい。この場合、断熱性能は低下するが、コスト的に有利になる。
【００６８】
また、本実施の形態では上部加熱手段１５に円筒状の輻射ヒータを用いたが、マイカヒータなどを内装した平面型輻射ヒータを用いてもよい。
【００６９】
（実施の形態２）
次に、本実施の形態２における加熱調理器のガイド部周辺の構成について図面を用いて詳細に説明する。図９は、本発明の第２の実施の形態における加熱調理器のガイド部周辺の部分断面図、図１０は、本発明の第２の実施の形態における加熱調理器のガイドを複数個取り付けた状態の部分断面図である。
【００７０】
なお、本実施の形態において、前述の実施の形態１と同様の構成や機能については、同じ符号を使い、発明のポイントでない点は説明を省略する。また、本実施の形態における、加熱調理器全体の構成は、図１〜図５に示した電子レンジ１の構成と同様である。
【００７１】
図９に示すように、本実施の形態のガイド５０は、外箱２内面と遮熱板Ｂ２２との隙間の入口５１近傍に配置され、前記隙間の空気流れに直交する方向の略全長に亘って位置している。
【００７２】
ガイド５０は、樹脂により成り、空気流れを外箱２内面側に変更させる傾斜部５２と、遮熱板Ｂ２２に沿って配置され傾斜部５２を支持する支持部５３より構成し、支持部５３に構成したツメ部５４により遮熱板Ｂ２２に固定されている。
【００７３】
以上の構成により、外箱２内面と遮熱板Ｂ２２との隙間に流入する空気流れは、ガイド５０の傾斜部５２により外箱２内面側に絞られながら偏向し、ガイド５０の下流側で外箱２の内面に沿って流れる。
【００７４】
したがって、外箱２内面近傍の風速が上がり、逆に遮熱板Ｂ２２近傍の風速は低下する風速分布となるので、外箱２内面と空気との熱伝達率は高くなり、遮熱板Ｂ２２と空気との熱伝達率は低くなる。
【００７５】
その結果、加熱室３からの放熱は抑えられ、外箱２の冷却は促進されるので、外箱２の温度上昇を抑えかつ、加熱室３の放熱ロスを抑えることができる。
【００７６】
また、ガイド５０はツメ部５４により遮熱板Ｂ２２に簡単に取り付けることができるので、取り付け位置を自由に設定でき、製品の組み立て時も作業が簡単となる。
【００７７】
さらに、ガイド５０を樹脂により構成したので、金属に比べ格段に熱伝導率が低く、空気がガイド５０表面を流れても、ガイド５０からの放熱を防止することができる。
【００７８】
このガイド５０は、取付位置が自由に設定できるので図１０に示すように、複数個空気流れに直列に所定間隔を有して配置することもできる。ガイド５０により空気流れを外箱２内面方向に偏向してガイド５０の下流の流れを外箱２内面に沿わせることはできるが、ガイド５０から離れると外箱２内面への流れの偏りが徐々に弱まってくる。
【００７９】
そこで、図１０に示すように複数個直列に配置することにより、ガイド５０を流れが通過するたびに、外箱２内面への偏りが強まり、外箱２全面にわたり外箱２の冷却は促進しかつ、加熱室３の放熱ロスを抑えることができる。
【００８０】
（実施の形態３）
次に、本実施の形態３における加熱調理器のガイド部周辺の構成について図面を用いて
詳細に説明する。図１１は、本発明の第３の実施の形態における加熱調理器のガイド部周辺の部分断面図、図１２は、本発明の第３の実施の形態における加熱調理器のガイド単体を示す斜視図である。
【００８１】
なお、本実施の形態において、前述の実施の形態１と同様の構成や機能については、同じ符号を使い、発明のポイントでない点は説明を省略する。また、本実施の形態における、加熱調理器全体の構成は、図１〜図５に示した電子レンジ１の構成と同様である。
【００８２】
図１１、図１２に示すように、本実施の形態のガイド６０は、Ｌ字型シャフト状とし、このＬ字部６１の一端に複数個所等間隔に切欠部６２を配置して構成している。そして、このＬ字部６１を外箱２内面と接して、外箱２内面と遮熱板Ｂ２２との隙間の入口部に、平坦部６３を加熱室３の底板３９面に固定して配置している。
【００８３】
以上の構成により、外箱２内面と遮熱板Ｂ２２との隙間に流入する空気流れは、ガイド６０の複数の切欠部６２により外箱２内面側に絞られながら偏向し、ガイド５０の下流側で外箱２の内面に沿って流れる。
【００８４】
したがって、加熱室３からの放熱は抑えられ、外箱２の冷却は促進されるので、外箱２の温度上昇を抑えかつ、加熱室３の放熱ロスを抑えることができる。
【００８５】
また、Ｌ字部６１が外箱２内面に接しているので、外箱２が加熱室３側に変形しても切欠部６２の空気通過面積が変わることがないので、外箱２の冷却性能が低下することがない。
【００８６】
さらに、空気流れを分割することにより、切欠部６２と外箱２内面との隙間を大きくしても、切欠部６２を通過する空気の流速を大きくすることができるので、外箱２の変形などの外乱に対して影響が少なく、かつ空気流れの上流側の風速分布の影響を受けにくくなり、空気流れと直交する方向の風量分布を改善することができる。
【００８７】
なお、本実施の形態では複数の切欠部６２を等間隔に構成したが、実際の分布に合わせて間隔を調整してもよい。また、積極的に冷却したい箇所に間隔を狭くしたり、切欠部６２の面積を大きくするなどの構成としてもよい。
【００８８】
また、本実施の形態ではＬ字型シャフト状の形状とし、Ｌ字部６１を外箱２内面に接するようにしたが、平板に切欠部を形成して、切欠部側の一端を外箱２内面に接するようにしてもよい。
【００８９】
また、本実施の形態ではＬ字部６１を外箱２内面に接するように配置したが、Ｌ字部６１と外箱２内面とに隙間を形成して、空気流れの一部をこの隙間に流れるようにしてもよい。この構成により、Ｌ字部６１下流にも流れが発生するので、外箱２の冷却のムラが少なくなる。
【００９０】
また、本実施の形態では切欠部６２を形成して空気を流したが、複数の開口を設け、この開口に空気を通過させてもよい。
【００９１】
（実施の形態４）
次に、本実施の形態４における加熱調理器のガイド部周辺の構成について図面を用いて詳細に説明する。図１３は、本発明の第４の実施の形態における加熱調理器のガイド部周辺の部分断面図である。なお、本実施の形態において、前述の実施の形態１と同様の構成や機能については、同じ符号を使い、発明のポイントでない点は説明を省略する。また、
本実施の形態における、加熱調理器全体の構成は、図１〜図５に示した電子レンジ１の構成と同様である。
【００９２】
図１３に示すように、本実施の形態のガイド７０は、加熱室３の底板３９の端部を延長して構成している。この構成によれば、部品点数が少なくなりコスト削減が可能となる。
【００９３】
また、別部品を接合する場合に比べ、別部品の接合誤差がなくなる分、ガイド７０端部と外箱２内面との隙間の寸法精度が良くなる。
【００９４】
なお、本実施の形態ではガイド７０である底板３９の端部を平坦な板状としているが、空気流れ方向に沿って傾斜させてもよい。
【００９５】
また、本実施の形態ではガイド７０である底板３９の端部を一様な形状としているが、この底板３９の端部を外箱２内面近傍まで延長して、この端部に複数の切欠部や開口部を形成して、これら切欠部や開口部に空気流れを通過させて、外箱２内面に偏るように空気流れを形成させてもよい。
【００９６】
また、本実施の形態ではガイド７０を、底板３９の端部を延長して構成したが、加熱室３の側板３８の端部を延長して構成してもよいし、底板３９と側板３８両者を延長して構成してもよい。
【００９７】
また、本実施の形態ではガイド７０を、底板３９の端部を延長して構成したが、遮熱板Ｂ２２の端部を折り返して外箱２内面方向に延長して構成したり、遮熱板Ｂ２２の一部を外箱２内面方向に切起こして構成してもよい。
【産業上の利用可能性】
【００９８】
以上のように、本発明の加熱調理器は、加熱室の周囲に空間を介して外箱を有した加熱装置の外箱温度の上昇を抑えかつ、庫内昇温効率を高めることができるので、例えばマイクロ波加熱装置、オーブン調理器など家庭用、業務用を問わず調理器の用途に有効である。
【符号の説明】
【００９９】
１  電子レンジ（加熱調理器）
２  外箱
３  加熱室
６、１４、２０、２６  空間部
７  高周波発生部
８  マグネトロン
９  導波管
１１  ファン
１３  吸気口
１５  上部加熱手段
１８  断熱材Ａ
１９  遮熱板Ａ
２１  断熱層
２２  遮熱板Ｂ
２４、５０、６０、７０  ガイド（突出片）
２５  奥面
２８  奥部加熱手段
３０  ヒータケース
３１  循環ファン
３４  循環吸気口
３５  循環排気口
３３  遮熱板Ｃ
３７  排気口
３８  側板
４５  奥上開口部
【図１】
2014202406.tif 000003
【図２】
2014202406.tif 000004
【図３】
2014202406.tif 000005
【図４】
2014202406.tif 000006
【図５】
2014202406.tif 000007
【図６】
2014202406.tif 000008
【図７】
2014202406.tif 000009
【図８】
2014202406.tif 000010
【図９】
2014202406.tif 000011
【図１０】
2014202406.tif 000012
【図１１】
2014202406.tif 000013
【図１２】
2014202406.tif 000014
【図１３】
2014202406.tif 000015
【図１４】
2014202406.tif 000016
【図１５】
2014202406.tif 000017